(57)【要約】【目的】新聞本紙（広告を挟んだものを含む）、雑誌、小冊子、新聞広告束、折丁等の冊子類を積層した束を載置し、この束の最下位の１部のみを分離して送り出して、送り出された１部の冊子類を挟持搬送手段で冊子類の束から引き抜く冊子類供給装置において、週刊誌のような分厚い雑誌でも手差により挿入できるようにする。【構成】冊子類の束を支持する支持手段と、この冊子類の束から１部のみを分離する分離手段とをとりはずすと、分厚い冊子類が挿入可能な通路が形成され、挟持搬送手段の挟持圧が弱くなるように構成する。また、支持手段及び分離手段に替えて取り付ける手差挿入ガイド部材により、送り出しベルト、挟持搬送手段ともに手が触れないので、安全で作業性が良い。【選択図】図１
2006151601.tif 000002
【特許請求の範囲】
【請求項１】
積層載置した冊子類の束から、最下位の冊子類１部のみを送り出す冊子類供給装置であって、以下の各構成を有することを特徴とする冊子類供給装置。
（１）その上に冊子類の束を積載する冊子類積載台。
（２）積載された冊子類の束のうち最下位の冊子類の下面に摩擦接触しながら前記冊子類積載台上を走行することにより、最下位の冊子類を送り出す送り出しベルト。
（３）送り出される冊子類の通路の高さ方向隙間を規制することにより、最下位の冊子類１部と下から２部目よりも上方の冊子類とを分離する分離手段が設けられ、且つ装置本体から取り外し可能な分離部材。
（４）送り出された冊子類を挟持して搬送する挟持搬送手段。
（５）分離部材を装置本体から取り外すと、これに連動して挟持搬送手段の挟持圧が減少するように構成された挟持圧切替機構。
【請求項２】
請求項１記載の構成に加え、冊子類積載台に載置された冊子類束の、送り出し方向下流側の端面に当接し、この冊子類束を支持する支持部材が設けられ、この支持部材は分離部材と一体的に構成されていることを特徴とする請求項１記載の冊子類供給装置。
【請求項３】
請求項１または２記載の構成に加え、装置本体から取り外された分離部材に替えて取り付け可能な手差し挿入ガイド部材をさらに有し、この手差挿入ガイド部材は、上方に開口を有し、この開口から挿入された冊子類を、挟持搬送手段に挟持されるように導くガイド板を有していることを特徴とする請求項１または２記載の冊子類供給装置。
【請求項４】
請求項１ないし３記載の冊子類供給装置を適用したことを特徴とする冊子類包装装置。
【発明の詳細な説明】
【技術分野】
【０００１】
本発明は、新聞本紙（広告を挟んだものを含む）、雑誌、小冊子、新聞広告束、折丁等（以下、これらをまとめて冊子類という）を積層した束を載置し、この束の最下位の１部のみを送り出す冊子類供給装置に関し、またこの冊子類供給装置によって供給された冊子類を樹脂フィルム等で包装する冊子類包装装置に関する。
【背景技術】
【０００２】
新聞本紙のような冊子類を多数積層した束を載置し、この束の最下位から１部ずつ冊子類を取り出して供給する冊子類供給装置１０１が、本願出願人により提案されている（例えば、特許文献１参照）。新聞本紙を取扱う装置としては、雨の日における新聞配達前に新聞が雨にぬれないように、ポリエチレンフィルム等で包装するための包装装置や、丁合済みの広告の束を新聞の折り目の内側に挿入する広告挿入装置等が挙げられ、特許文献１の供給装置１０１は、これら新聞本紙を取扱う装置に、自動的に新聞や新聞広告を供給する目的で適用される。
【０００３】
また、新聞や新聞広告だけでなく、雑誌や小冊子、印刷前の折丁等を供給することも可能で、これらに対し各種加工または包装等を行う装置に適用することもできる。
【０００４】
図８はこの特許文献１の冊子類供給装置１０１を示す正面図である。この冊子類供給装置１０１には、冊子類Ｓを複数積層した束を載置する積載台１０２と、この積載台１０２上に設けられ、最下位の冊子類Ｓの下面に摩擦接触しながら、冊子類送り出し方向（矢印Ａ方向）に走行する送り出しベルト１０３と、送り出される冊子類の送り出し通路１０４に設けられ、最下位から２部目よりも上方にある冊子類の進行を停止させ、最下位の冊子類だけが前進するように設けられた第１ゲート１０５、第２ゲート１０６、送り出された冊子類を挟持して搬送する挟持搬送ベルト１０７、挟持搬送ローラ１０８等を有している。この第１ゲート１０５、第２ゲート１０６がともに冊子類が送り出される隙間を規制し、さらにこの隙間を調整することにより、様々な厚さの新聞や広告、雑誌、小冊子、折丁等を確実に１部ずつ供給することができる。
【０００５】
図９は、この冊子類供給装置１０１を適用した冊子類包装装置２０１を示す正面図である。挟持搬送ベルト１０７と挟持搬送ローラ１０８とに挟持されて送り出された冊子類Ｓは、一対のフィルムロール２０２から供給されるフィルムＦの間に進入し、包装部入口２１０から包装部２１１に進入する。包装部入口２１０にはゲート２０３が軸２０３ａを中心に回動可能に設けられ、溶着台座２０５に対し図示しないバネ等により付勢されている。冊子類Ｓはこの付勢に抗してゲート２０３を押しのけて、ゲート２０３と溶着台座２０５との間を通って包装部２１１に進入する。
【０００６】
包装部２１１には一対の搬送ベルト２０８が設けられ、冊子類Ｓを挟持し下方に移動させる。冊子類Ｓの後端が包装部２１１に進入したことをセンサ等で検知すると、搬送ベルト２０８はいったん停止し、冊子類Ｓを包装部２１１で停止させる。次に後端溶着ナイフ２０４と、冊子類Ｓ通路の両側部に一対設けられた両側部溶着ナイフ２０６が移動して、それぞれ溶着台座２０５，２０７に接触する。後端溶着ナイフ２０４と両側部溶着ナイフ２０６とは加熱されているので、それぞれ溶着台座２０５，２０７との間で２枚重なったフィルムＦ、Ｆを加熱溶着させることにより、冊子類Ｓの後端と両側部でフィルムＦが溶着する。その後、後端溶着ナイフ２０４と両側部溶着ナイフ２０６はそれぞれ溶着台座２０５，２０７から再び離間する。なお、冊子類Ｓの前方は、その前に行われた包装により、既にフィルムＦが溶着されているので、冊子類Ｓの両側部と後端部を溶着することにより、冊子類Ｓの四方でフィルムＦが溶着された状態となって包装が完了する。
【０００７】
包装が完了すると搬送ベルト２０８が再び動作し、冊子類ＳをフィルムＦとともに下方に搬送すると、フィルムＦは冊子類Ｓの後端側の溶着部で切断され、フィルムＦに覆われた冊子類Ｓは排出ガイド２０９にガイドされ、排出口２１２から機外に排出される。
【特許文献１】特願２００４−３３９８２３
【発明の開示】
【発明が解決しようとする課題】
【０００８】
しかし、この特許文献１に開示された供給装置１０１は、第１ゲート１０５、第２ゲート１０６により冊子類が送り出される隙間を規制する方式であるので、供給できる冊子類の厚さに限界があり、例えば分厚い週刊誌ほどの厚さの冊子類は、新聞または新聞と同等程度の厚さを持つ冊子類を１部ずつ分離するのに適した構造である第１ゲート１０５、第２ゲート１０６を通過させることは困難であるので、このような分厚い冊子類を供給することはできなかった。
【０００９】
そこで、たとえば第１ゲート１０５及び第２ゲート１０６の位置を、冊子類Ｓ搬送面に対して垂直方向に移動調整可能とし、冊子Ｓが通る隙間を大きくしたり、第１ゲート１０５及び第２ゲート１０６ともに撤去して、分厚い冊子類を手差しで供給すること等が考えられる。しかし、そうすると、挟持搬送ベルト１０７及び挟持搬送ローラ１０８との挟持圧が比較的強いので、分厚い冊子類は挟持搬送ベルト１０７と挟持搬送ローラ１０８にくわえ込むことができなかった。挟持搬送ベルト１０７及び挟持搬送ローラ１０８は、積層載置した束の最下位の冊子類を、それよりも上方に積層された冊子類による荷重に打ち勝って引き出さなければならないため、比較的その挟持圧を強く設定されているからである。
【００１０】
また、第１ゲート１０５及び第２ゲート１０６と、積載台１０２との隙間を大きくしたり、第１ゲート１０５及び第２ゲート１０６ともに撤去したりすると、手が挟持搬送ベルト１０７に触れてしまい、手が引き込まれてしまう可能性がある。さらに、手差し供給を行うと、露出した送り出しベルト１０３上に冊子類を１部ずつ載置することになるので、手が送り出しベルト１０３にも触れてしまい、やはり手が引き込まれてしまう可能性があるという問題点がある。手が引き込まれることがないように、手差供給の際は送り出しベルト１０３を停止させるようにすると、停止している送り出しベルトが手差供給の抵抗となるので、非常に操作しにくくなるという問題点がある。
【００１１】
本発明はこのような問題点に鑑みてなされたものであって、積層載置された新聞や広告、雑誌、小冊子、折丁等の冊子類の束から自動的に１部ずつ送り出すことができるとともに、週刊誌のような分厚い冊子類も、ベルト類に手が触れることなく安全に手差供給できる操作性の良い冊子類供給装置を提供することを目的とする。
【課題を解決するための手段】
【００１２】
上記の課題を解決するための本発明の冊子類供給装置の第１の構成は、積層載置した冊子類の束から最下位の冊子類１部のみを送り出す冊子類供給装置であって、以下の各構成を有することを特徴とする。
（１）その上に冊子類の束を積載する冊子類積載台。
（２）積載された冊子類の束のうち最下位の冊子類の下面に摩擦接触しながら前記冊子類積載台上を走行することにより、最下位の冊子類を送り出す送り出しベルト。
（３）送り出される冊子類の通路の高さ方向隙間を規制することにより、最下位の冊子類１部と下から２部目よりも上方の冊子類とを分離する分離手段が設けられ、且つ装置本体から取り外し可能な分離部材。
（４）送り出された冊子類を挟持して搬送する挟持搬送手段。
（５）分離部材を装置本体から取り外すと、これに連動して挟持搬送手段の挟持圧が減少するように構成された挟持圧切替機構。
【００１３】
第２の構成は、前記第１の構成に加え、冊子類積載台に載置された冊子類束の、送り出し方向下流側の端面に当接し、この冊子類束を支持する支持部材が設けられ、この支持部材は分離部材と一体的に構成されていることを特徴とする。
【００１４】
第３の構成は、前記第１または第２の構成に加え、装置本体から取り外された分離部材に替えて取り付け可能な手差し挿入ガイド部材をさらに有し、この手差挿入ガイド部材は、上方に開口を有し、この開口から挿入された冊子類を、挟持搬送手段に挟持されるように導くガイド板を有していることを特徴とする。
【００１５】
第４の構成は、上記第１ないし第３の構成を有する冊子類供給装置を適用したことを特徴とする冊子類包装装置である。
【発明の効果】
【００１６】
本発明の冊子類供給装置においては、送り出される最下位の冊子類通路の高さ方向隙間を規制することにより２部目よりも上方の冊子類と分離する分離手段が設けられた分離部材を装置本体から着脱可能に構成し、この分離部材が装置本体から取り外された時、これに連動して挟持搬送手段の挟持圧が低くなるように構成された挟持圧切替機構が設けられているので、積層載置された新聞や広告、雑誌、小冊子、折丁等の冊子類の束から自動的に１部ずつ送り出すことができるとともに、週刊誌のような分厚い冊子類も、分離部材を装置本体から取り外すことによって、手差供給することができる。したがって、パンフレットのような薄い冊子類から、週刊誌のような分厚い冊子類まで、不具合無く供給することができる。
【００１７】
分離部材が装置本体から取り外された時、これに替えて取り付け可能な手差し挿入ガイド部材をさらに有し、この手差挿入ガイド部材は、上方に開口を有し、この開口から挿入された冊子類を、挟持搬送手段に挟持されるように導くガイド板を有しているので、手差供給時にベルト類に手が触れることなく安全に作業することができる。また、ガイド板によって送り出しベルトの抵抗がなくなるので操作性が良くなる。
【００１８】
また、この冊子類供給装置を冊子類包装装置に適用することにより、厚いものから薄いものまで様々な冊子類を包装することができる。
【発明を実施するための最良の形態】
【００１９】
本発明の冊子類供給装置においては、週刊誌などの分厚い冊子を手差で挿入可能にするためには、冊子類を１部ずつ分離して自動給送するために設けられているものの手差し挿入時には不要となる第１ゲート及び第２ゲートを撤去することと、積層された冊子類の最下位から１部取り出すために挟持圧が強くなっている挟持搬送ベルトの挟持圧を低くすることが必要である。したがって、第１ゲート及び第２ゲートを撤去すると、これに連動して挟持搬送ベルトの挟持圧が低くなるように構成するのが最良である。
【００２０】
また、第１ゲート及び第２ゲートを撤去しただけでは、送り出しベルトや挟持搬送ベルトに手が触れる可能性があるので、これを防ぐためには、これらのベルト類に手が届かなくなるように覆うとともに、挿入された冊子類を、挟持搬送ベルトに挟持されるように導くガイド板を、撤去した第１ゲート及び第２ゲートに替えて取り付け可能に構成するのが最良である。
【００２１】
以下、本発明を実施するための最良の形態を、図面を参照して説明する。図１は本発明の冊子類供給装置１において、支持部材２と分離部材３が装着されている状態１ａを示す正面図、図２はその平面図である。
【００２２】
図１及び図２に示すように、この冊子類供給装置１には、冊子類Ｓの束をその上に積層載置する冊子積載台５が、冊子類送り出し方向（矢印Ｂ方向）が低くなるように傾斜して設けられている。この冊子積載台５上を、冊子送り出し方向に向かって走行するように、送り出しベルト６が適宜の間隔をおいて５本、一対のローラ７，８に巻きかけられて設けられている。この送り出しベルト６の上面は、積層載置された冊子類Ｓの束の最下位の冊子類Ｓの下面に摩擦接触し、送り出しベルト６が走行することにより、この最下位の冊子類Ｓを冊子類送り出し方向に繰出す。
【００２３】
冊子積載台５の冊子類送り出し方向下流側上方に、積層載置された冊子類Ｓの前端を支持する支持部材２が設けられ、この支持部材２の下方には、支持部材２と一体的に固定された第１ゲート９及び第２ゲート１０が設けられている。この第１ゲート９及び第２ゲート１０により、積層載置された冊子類Ｓの束のうち、最下位の冊子類Ｓのみ、第１ゲート９及び第２ゲート１０と送り出しベルト６との隙間に進入し、下から２部目よりも上にある冊子類Ｓは第１ゲート９及び第２ゲート１０のどちらかに先端が当接して進入を阻止される。したがって冊子類Ｓは最下位の１部のみが送り出されることになる。この支持部材２と分離部材３は、装置筐体に固着された支持板１１に、一対のツマミネジ１２により固定されている。
【００２４】
第２ゲート１０の下流側には、１部のみ送り出された冊子類Ｓを挟持して搬送する挟持搬送手段１３が設けられている。この挟持搬送手段１３は、適宜の駆動源から駆動力を与えられる挟持搬送ローラ１４と、この挟持搬送ローラ１４に上方から圧接する挟持搬送ベルトユニット１５とから形成されている。この挟持搬送手段１３は、冊子類Ｓの送り出し方向に対し直交する方向（以下、幅方向という）に適宜の間隔をおいて１対設けられている。
【００２５】
この挟持搬送ベルトユニット１５は、２個のローラ１６，１７と、このローラ１６，１７に巻きかけられた挟持搬送ベルト１８とが設けられている。ローラ１６はローラ軸１６ａに回転自在に支持され、このローラ軸１６ａは装置筐体に固定支持されている。このローラ軸１６ａに、ローラブラケット１９の一端付近が回転自在に支持されており、このローラブラケット１９の他端付近には、ローラ１７を回転自在に支持するローラ軸１７ａが固定されている。ローラブラケット１９の一端にはバネ２０の一端がかけられており、このバネ２０によって、挟持搬送ベルト１８が挟持搬送ローラ１４に適宜の挟持圧で圧接するように付勢されている。
【００２６】
このバネ２０の他端は、第１リンク２１の一端にかけられている。この第１リンク２１はその他端付近において、装置筐体に固定された軸２２に回動自在に支持されている。またこの第１リンク２１の一端付近においては、軸２３を介して第２リンク２４の一端が回動自在に連結されている。さらにこの第２リンク２４の他端においては、軸２５を介して、Ｔ字型に形成された第３リンク２６の第１端部２６ａに回動自在に連結されている。
【００２７】
第３リンク２６はＴ字の第２端部２６ｂにおいて、筐体に固定された軸２７に回動自在に支持されている。さらにこの第３リンク２６は、第３の端部２６ｃにおいて軸２８が固定され、この軸２８にコロ２９が回転自在に支持されている。これらの第１リンク２１、第２リンク２４、第３リンク２６、コロ２９によって、挟持搬送手段１３の挟持圧を切替える挟持圧切替機構３０が構成されている。この挟持圧切替機構３０は幅方向に２ヵ所設けられた挟持搬送手段１３に対応してそれぞれ設けられている。
【００２８】
このコロ２９は、支持板１１に形成された開口部１１ａを通して、支持部材２の背面２ａに当接した状態になっている。バネ２０の付勢力により、第１リンク２１は軸２２を中心として反時計方向に回動する力が働き、また、第３リンク２６は軸２７を中心として反時計方向に回動する力が働いているが、コロ２９が支持部材２に当接することによって図１に示す位置で停止した状態になっている。
【００２９】
この支持部材２と分離部材３が取り付けられた状態での、冊子類Ｓの自動供給動作を説明する。図示しないスイッチを入れると、図示しない駆動源から電磁クラッチを介してローラ８に駆動が与えられ、送り出しベルト６が矢印Ｂ方向に周回走行する。すると、積層載置されている冊子類Ｓの最下位の１部がこの送り出しベルト６によって前進する。このとき、最下位の１部にひきずられて、それよりも上方の冊子類Ｓも前進するが、第１ゲート９及び第２ゲート１０によって、最下位の１部以外の冊子類Ｓの前進が阻止されるので、最下位の１部の冊子類Ｓだけが、第１ゲート９及び第２ゲート１０の下方を通り抜ける。
【００３０】
その後、送り出された最下位の冊子類Ｓの先端が挟持搬送ローラ１４と挟持搬送ベルト１８との間に挟持される。適宜のセンサ類等で冊子類Ｓの先端が挟持搬送ローラ１４と挟持搬送ベルト１８との間に挟持されたことが検知されると、送り出しベルト６の駆動力が図示しない電磁クラッチにより解除される。挟持搬送ローラ１４には駆動源から駆動力が伝達されているので、冊子類Ｓは挟持搬送ローラ１４と挟持搬送ベルト１８によって下流側へと引き出され、包装装置や適宜の加工装置等に引き渡される。
【００３１】
次に、本発明の冊子類供給装置１において、支持部材２、分離部材３、手差挿入ガイド部材４が装着されていない状態１ｂ（図１に示す状態１ａから、支持部材２及び分離部材３を取り外した状態）を説明する。図３は、本発明の冊子類供給装置１において、支持部材２、分離部材３、手差挿入ガイド部材４が装着されていない状態１ｂを示す正面図、図４はその平面図である。
【００３２】
ツマミネジ１２（図１参照）を緩めて外すことにより、支持部材２及び分離部材３を支持部材１１から取り外すことができる。すると図３に示すように、バネ２０の付勢力により、第１リンク２１は軸２２を中心として反時計方向に回動し、また、第３リンク２６は軸２７を中心として反時計方向に回動して、第３リンク２６がストッパ３１に当接して停止する。コロ２９は支持板１１の開口１１ａを通して、支持板１１ａの図３に示す右上方に突出した状態となる。この結果、支持部材２及び分離部材３が装着されている場合よりもバネ２０の長さが短くなるので、挟持搬送ベルト１８の挟持搬送ローラ１４に対する圧接力が弱くなる。
【００３３】
また、分離部材３が取り外されているので、幅の大きな冊子類通路３２が形成される。さらに挟持搬送手段１３の挟持力が弱くなっているので、週刊誌のような分厚い冊子類でも、この冊子類通路３２を通して手で挟持搬送手段１３に押込んでくわえさせることができるようになる。
【００３４】
次に、本発明の冊子類供給装置１において、手差挿入ガイド部材４が装着されている状態１ｃ（図１に示す状態１ａから、支持部材２及び分離部材３をとりはずし、これらに替えて手差挿入ガイド部材４を装着した状態）を説明する。図５は本発明の冊子類供給装置１において、手差挿入ガイド部材４が装着されている状態１ｃを示す正面図、図６はその平面図である。
【００３５】
図５及び図６に示すように、手差挿入ガイド部材４は、送り出しベルト６の上面に載置され、挿入された冊子類を挟持搬送手段１３に挟持されるように導くガイド板部４ｂと、支持板１１に支持される壁部４ｄと、上面に設けられた上蓋部４ｃとが、図５においてそれぞれ三辺を形成する正面視三角形状をなしている。上蓋部４ｃには冊子類Ｓを手で投入するための挿入口４ａが設けられ、ガイド板部４ｂの冊子類挿入方向下流側には、冊子類Ｓが通過するための通路４ｆが設けられている。また、この手差挿入ガイド部材４装着時に、支持板１１の開口１１ａと略同じ位置にくるように、壁部４ｄには開口４ｅが形成されている。このため、コロ２９はこの開口１１ａ、開口４ｅを通じて一部が手差挿入ガイド部材４内部に突出した状態となる。したがって、コロ２９、第１リンク２１、第２リンク２４、第３リンク２６の位置と、バネ２０の長さは、図３に示す支持部材２及び分離部材３をとりはずした状態１ｂと同じであるので、挟持搬送手段１３の挟持圧は弱いものとなるので、週刊誌のような分厚い冊子類でもくわえ込むことができる。
【００３６】
この手差挿入ガイド部材４が装着された状態においては、１部の冊子類Ｓを手で挿入口４ａから投入する。すると、冊子類Ｓはガイド板部４ｂの上を移動し、通路４ｆを通過して挟持搬送手段１３にくわえ込まれる。このとき、挟持搬送ローラ１４のみが駆動され、送り出しベルト６には電磁クラッチが切られていることにより駆動力が伝達されないので、ガイド板部４ｂと送り出しベルト６との摺動が発生しないようになっている。
【００３７】
この手差挿入ガイド部材４のガイド板部４ｂが設けられていることにより、送り出しベルト６のグリップ力によって抵抗を受けることなく冊子類を挿入することができるので、操作性が良い。また、上蓋部４ｃ、壁部４ｄ、ガイド板部４ｂによって囲まれているため、送り出しベルト６や挟持搬送手段１３に手が触れることなく、安全に操作することができる。
【００３８】
図７は本発明の冊子類供給装置１を適用した冊子類包装装置３０１を示す正面図である。この冊子類包装装置３０１は、冊子類供給装置部に本発明の冊子類供給装置１を適用していること以外は、図９に示す冊子類包装装置２０１と同一であり、冊子類包装装置２０１と同一の部品には同一の番号を付し、その詳細な説明は省略する。この冊子類包装装置３０１によれば、冊子類供給装置１によって自動的に冊子類を供給してこれを包装することができるとともに、手差挿入ガイド部材４を装着することにより週刊誌のような分厚い冊子類を包装することができるので、厚いものから薄いものまで様々な冊子類を包装することができる。
【図面の簡単な説明】
【００３９】
【図１】本発明の冊子類供給装置１において、支持部材２と分離部材３が装着されている状態１ａを示す正面図である。
【図２】本発明の冊子類供給装置１において、支持部材２と分離部材３が装着されている状態１ａを示す平面図である。
【図３】本発明の冊子類供給装置１において、支持部材２、分離部材３、手差挿入ガイド部材４が装着されていない状態１ｂを示す正面図である。
【図４】本発明の冊子類供給装置１において、支持部材２、分離部材３、手差挿入ガイド部材４が装着されていない状態１ｂを示す平面図である。
【図５】本発明の冊子類供給装置１において、手差挿入ガイド部材４が装着されている状態１ｃを示す正面図である。
【図６】本発明の冊子類供給装置１において、手差挿入ガイド部材４が装着されている状態１ｃを示す平面図である。
【図７】本発明の冊子類供給装置１を適用した冊子類包装装置３０１を示す正面図である。
【図８】背景技術の冊子類供給装置１０１を示す正面図である。
【図９】背景技術の冊子類供給装置１０１を適用した冊子類包装装置２０１を示す正面図である
【符号の説明】
【００４０】
１；冊子類供給装置
１ａ；冊子類供給装置１において、支持部材２と分離部材３が装着されている状態
１ｂ；冊子類供給装置１において、支持部材２、分離部材３、手差挿入ガイド部材４が装着されていない状態
１ｃ；冊子類供給装置１において、手差挿入ガイド部材４が装着されている状態
２；支持部材
２ａ；背面
３；分離部材
４；手差挿入ガイド部材
４ａ；挿入口
４ｂ；ガイド板部
４ｃ；上蓋部
４ｄ；壁部
４ｅ；開口
４ｆ；通路
５；冊子積載台
６；送り出しベルト
７，８；ローラ
９；第１ゲート
１０；第２ゲート
１１；支持板
１１ａ；開口
１２；ツマミネジ
１３；挟持搬送手段
１４；挟持搬送ローラ
１５；挟持搬送ベルトユニット
１６，１７；ローラ
１８；挟持搬送ベルト
１９；ローラブラケット
２０；バネ
２１；第１リンク
２２，２３，２５，２７，２８；軸
２４；第２リンク
２６；第３リンク
２９；コロ
３０；挟持圧切替機構
３１；ストッパ
３２；冊子類通路
１０１；冊子類供給装置
１０２；積載台
１０３；送り出しベルト
１０４；送り出し通路
１０５；第１ゲート
１０６；第２ゲート
１０７；挟持搬送ベルト
１０８；挟持搬送ローラ
２０１；冊子類包装装置
２０２；フィルムロール
２０３；ゲート
２０３ａ；軸
２０４；後端部溶着ナイフ
２０５，２０７；溶着台座
２０６；両側部溶着ナイフ
２０８；搬送ベルト
２０９；排出ガイド
２１０；包装部入口
２１１；包装部
２１２；排出口
３０１；冊子類包装装置
Ａ，Ｂ；矢印
【図１】
2006151601.tif 000003
【図２】
2006151601.tif 000004
【図３】
2006151601.tif 000005
【図４】
2006151601.tif 000006
【図５】
2006151601.tif 000007
【図６】
2006151601.tif 000008
【図７】
2006151601.tif 000009
【図８】
2006151601.tif 000010
【図９】
2006151601.tif 000011